(57)【要約】      （修正有）【課題】作業者側で使用する長さを決定でき、且つ、かさばりにくいマーキングテープを提供する。【解決手段】マーキングテープ１は、巻芯３と、巻芯に巻回され、幅方向と長手方向とを有する帯状の基材２とを備える。基材には、幅方向に略平行な複数のミシン目が長手方向に所定間隔をもって形成されている。基材は、粘着面を有する第１面と三角マークが形成されている第２面とを有する。具体的には、第２面には、第１ミシン目２１１と第１ミシン目に隣接する第２ミシン目２１２との間において、第１ミシン目側に指示マークが形成されている。指示マークは、第１ミシン目に向けられた指示先端部を有する。【選択図】図２
0003197072.tif 000002
【実用新案登録請求の範囲】
【請求項１】
巻芯と、
前記巻芯に巻回され、幅方向と長手方向とを有する帯状の基材と、
を備え、
前記基材には、前記幅方向に略平行な複数のミシン目が前記長手方向に所定間隔をもって形成されており、
前記基材は、
粘着面を有する第１面と、
前記複数のミシン目のうち、第１ミシン目と前記第１ミシン目に隣接する第２ミシン目との間において、前記第１ミシン目側に指示マークが形成されている第２面と、
を有し、
前記指示マークは、前記第１ミシン目に向けられた指示先端部を有するマーキングテープ。
【請求項２】
前記指示マークは、三角マークを有し、
前記指示先端部は、頂点を有し、
前記三角マークは、
前記第１ミシン目に略平行な一辺と、
前記一辺に対向し、前記第１ミシン目に向けられた前記頂点と、
を有し、
前記第１ミシン目から前記第２ミシン目までの領域は、
前記第１ミシン目から前記三角マークの前記一辺までの三角マーク形成領域と、
前記三角マークの前記一辺から前記第２ミシン目までのその他の領域と、
を有し、
前記三角マーク形成領域において、前記三角マークと前記三角マークを除く余白部分とは、互いに異なる色によって形成され、
前記その他の領域は、前記三角マークとは異なる色によって形成されている請求項１に記載のマーキングテープ。
【請求項３】
前記三角マークの前記一辺は、前記幅方向の一端から他端にかけて形成され、
前記三角マークの前記頂点は、前記第１ミシン目上に形成される、請求項２に記載のマーキングテープ。
【請求項４】
前記三角マークは、二等辺三角形、又は、正三角形である請求項２又は請求項３に記載のマーキングテープ。
【請求項５】
前記三角マークは黒色であり、
前記三角マークを除く余白部分白色であり、
前記その他の領域は、有彩色である請求項２〜請求項４のいずれかに記載のマーキングテープ。
【請求項６】
前記その他の領域には、前記長手方向と略平行な平行線が形成されており、
前記三角マーク形成領域における前記平行線の延長線は、前記三角マークの頂点を通る請求項２〜請求項５のいずれかに記載のマーキングテープ。
【請求項７】
前記複数のミシン目はマイクロミシン目である請求項２〜請求項６のいずれかに記載のマーキングテープ。
【考案の詳細な説明】
【技術分野】
【０００１】
本考案は、マーキングテープ等に関する。
【背景技術】
【０００２】
従来、検収や検品時の不良箇所を指し示す「三角マーク形成領域」を有するシート型のマーキングテープが提案されている（例えば、特許文献１）。かかるマーキングテープは、各種産業上の検収や検品時の不良箇所のマーキング作業に適している。
【先行技術文献】
【特許文献】
【０００３】
【特許文献１】実用新案登録第３１９０５３６号公報
【考案の概要】
【考案が解決しようとする課題】
【０００４】
しかし、特許文献１では、所定サイズのマーキングテープが１枚の台紙に対して複数貼付されているため、台紙を広げた際に作業の邪魔になることがあった。また、台紙に貼付されたマーキングテープはいずれも同じ所定サイズで形成されており、作業者側で使用する長さを決定することは困難であった。
【０００５】
本考案は、作業者側で使用する長さを決定でき、且つ、かさばりにくいマーキングテープを提供することを目的とする。
【課題を解決するための手段】
【０００６】
本考案は、巻芯と、前記巻芯に巻回され、幅方向と長手方向とを有する帯状の基材とを備え、前記基材には、前記幅方向に略平行な複数のミシン目が前記長手方向に所定間隔をもって形成されており、前記基材は、粘着面を有する第１面と、前記複数のミシン目のうち、第１ミシン目と前記第１ミシン目に隣接する第２ミシン目との間において、前記第１ミシン目側に指示マークが形成されている第２面と、を有し、前記指示マークは、前記第１ミシン目に向けられた指示先端部を有するマーキングテープに関する。
【０００７】
また、前記指示マークは、三角マークを有し、前記指示先端部は、頂点を有し、前記三角マークは、前記第１ミシン目に略平行な一辺と、前記一辺に対向し、前記第１ミシン目に向けられた頂点とを有し、前記第１ミシン目から前記第２ミシン目までの領域は、前記第１ミシン目から前記三角マークの前記一辺までの三角マーク形成領域と、前記三角マークの前記一辺から前記第２ミシン目までのその他の領域とを有し、前記三角マーク形成領域において、前記三角マークと前記三角マークを除く余白部分とは、互いに異なる色によって形成され、前記その他の領域は、前記三角マークとは異なる色によって形成されていることが好ましい。
【０００８】
また、前記三角マークの前記一辺は、前記幅方向の一端から他端にかけて形成され、前記三角マークの前記頂点は、前記第１ミシン目上に形成されることが好ましい。
【０００９】
また、前記三角マークは、二等辺三角形、又は、正三角形であることが好ましい。
【００１０】
また、前記三角マークは黒色であり、前記三角マークを除く余白部分白色であり、前記その他の領域は、有彩色であることが好ましい。
【００１１】
また、前記その他の領域には、前記長手方向と略平行な平行線が形成されており、前記三角マーク形成領域における前記平行線の延長線は、前記三角マークの頂点を通ることが好ましい。
【００１２】
また、前記複数のミシン目はマイクロミシン目であることが好ましい。
【考案の効果】
【００１３】
本考案によれば、作業者側で使用する長さを決定でき、且つ、かさばりにくいマーキングテープを提供することができる。
【図面の簡単な説明】
【００１４】
【図１】本考案に係るマーキングテープを示す外観図である。
【図２】マーキングテープを引き出す様子を示す概念図である。
【図３】最小単位の基材を示す図である。
【図４】実施形態に係るマーキングテープを示す図である。
【図５】変形例に係るマーキングテープを示す図である。
【考案を実施するための形態】
【００１５】
＜１．構成＞
以下、本考案の実施形態によるマーキングテープについて、図面を参照しながら説明する。図１は本考案に係るマーキングテープを示す外観図である。図２はマーキングテープを引き出す様子を示す概念図である。図３は最小単位の基材を示す図である。図４は実施形態に係るマーキングテープを示す図である。図５は変形例に係るマーキングテープを示す図である。
【００１６】
図１に示すように、マーキングテープ１は、ロール型のマーキングテープであり、基材２と巻芯３とを有している。マーキングテープ１は、テープ状の基材２を円筒状の巻芯３上に巻き取ったものである。
【００１７】
図２に示すように、基材２は、図３に示す方形（矩形、長方形）の基材２１，２２，２３，…を最小の基礎単位とし、これが一直線上に連続的に配列されたテープである。図２に示すように、基材２１と基材２２との境界にはあらかじめマイクロミシン目２１２の加工が施されている。同様に、基材２２と基材２３との境界にもマイクロミシン目２１３の加工が施されている。
【００１８】
以下、図３を参照しながら、最小単位の基材の一例である基材２１について詳細に説明する。図３に示すように、最小の基礎単位である基材２１は、方形（矩形、長方形）であり、その一側の面の一端側に、指示マークとしての三角マーク４を有する。前記三角マーク４の一辺４１は、前記方形の基材２１の短辺２１１，２１２と平行である。前記三角マーク４の前記一辺４１と対向する頂点（頂角）４４（指示先端部）は、前記方形の基材２１の前記一端側の短辺２１１に向けられており、短辺２１１に施されたミシン目上に形成されている。なお、短辺２１１と短辺２１１に対向する短辺２１２との双方にマイクロミシン目が施されている。
【００１９】
前記方形の基材２１は、前記三角マーク４の前記一辺４１を境に、三角マーク形成領域７と方形（矩形、長方形）のその他の領域８とを有する。
図４及び図５に示すように、前記三角マーク形成領域７において、前記三角マーク４と前記三角マーク４を除く余白部分とは、互いに異なる色とされる。好ましくは、前記三角マーク４と前記三角マーク４を除く余白部分は、互いに高コントラストとなるように互いに異なる色とされる。また、前記方形の基材２１における前記その他の領域８は、前記三角マークの色とは異なる色とされる。
【００２０】
なお、基材２としては、例えば、紙系材質、フィルム系材質、などを使用できる。
【００２１】
上述のように、マーキングテープの基材２において、基材と基材との境界には、あらかじめマイクロミシン目の加工が施されている。マイクロミシン目とは、ミシン目のピッチが非常に小さく細かなミシン目加工であり、通常のミシン目がカット部分２ｍｍ：繋がっている部分０．６ｍｍであるのに対し、マイクロミシン目はカット部分０．３ｍｍ：繋がっている部分０．２ｍｍである。
【００２２】
このようなマイクロミシン目は、通常のミシン目と比べ、目が細かいため、簡単には、切り離れないが、切り離そうとして強い力を加えると、正確にマイクロミシン目の位置で、切り離しやすい。そのため、矢印の先端にマイクロミシン目を施すことで、マーキングテープを正確に切り取ることができる。また、マイクロミシン目加工とすることで、ミシン目の膨らみが少なくなり、印刷時に引っ掛かり難くなる。その結果、印刷トラブルが少なくなり、マーキングテープの歩留まりが向上する。
【００２３】
また、基材２１の他側の面は、糊（粘着剤）からなる粘着層を有する。本願では、方形の基材２１の他側の面の全面に粘着層を有する。すなわち、マーキングテープ１の基材２の他側の面の全面に粘着層を有する。
【００２４】
粘着層としては、一度又は数度貼ってもきれいに剥がすことのできる糊（粘着剤）で構成されていることが好ましい。また、剥がした際に、貼付物に糊（粘着剤）が残らない糊（粘着剤）が好ましい。具体的には、弱粘着糊、再剥離糊、普通糊（一般的な強さの糊）、強粘着糊（強い糊）、超強粘着糊（強粘着よりさらに強い糊）、などの糊（粘着剤）を使用することができる。弱粘着糊、再剥離糊を使用することがより好ましい。これらの糊（粘着剤）は、紙素材、フィルム素材を問わず幅広い基材に対して使用される。
【００２５】
弱粘着糊は、一定時間後に剥がすことを目的とした場合に使用される。再剥離糊（リピール）は、貼付後に剥がし、再度貼付でき、リピールと呼ばれることもある。再剥離糊としては、強粘着再剥離、強粘度・強粘着再剥離、弱粘着再剥離、微粘着再剥離などのタイプがある。
【００２６】
粘着剤としては、アクリル系粘着剤、ウレタン系粘着剤、などを使用できる。アクリル系粘着剤としては、水溶性のエマルジョンタイプ、溶剤性のソルベントタイプ、などを使用できる。
【００２７】
ところで、方向表示の目的で使用される矢印は、ある程度遠くから方向（流れ）をしっかり認識できる機能が重要視される。このため、「矢じり（矢尻）」と「柄」からなる典型的な矢印が使用されるケースが多い。このとき、「矢じり」と「柄」の色を互いに変えると、かえって、見づらい、わかりづらいといった感じになるので、ほとんどの場合、「矢じり」と「柄」の色は同色であり、単色の矢印である。このとき、例えば、「矢じり」と「柄」からなる単色の矢印を目立つ色とした場合、近づいて見たときに、「矢じり」と「柄」が目に飛び込んでしまい、見づらい。
【００２８】
これに対し、本願では、ある程度遠くからマーキング箇所をしっかり認識できる機能があればよく、マーキング位置の詳細は近くに近づいて確認するとき認識できればよい。本願では、方向表示の重要な役割を担っている矢印の「柄」を必要としない。「その他の領域」は、矢印の「柄」に比べれば面積が相対的に広くなるので見つけやすい。本願では、近づいて確認するとき「矢じり」と一体化した「柄」は、かえって、じゃまになる。
【００２９】
本願では、前記三角マーク形成領域において、前記三角マークと前記三角マークを除く余白部分（三角マークの余白部分）は、互いに高コントラストとなるよう互いに異なる色とされていることが好ましい。これにより、三角マーク及びその先端の視認性が格段に良くなる。「視認性」とはパッと見た瞬間の認識しやすさのことである。例えば、本願において黒色の三角マークの余白部分を切り落とした態様（余白部がない態様）では、色のある物体、特に暗い色の物体に貼付した場合、三角マーク及びその先端の視認性がよくない。これに対し、例えば、本願において黒色の三角マークの余白部分が白色である態様では、自身で高コントラストを演出できるので、色のある物体、特に暗い色に貼付した場合において、三角マーク及びその先端の視認性が非常によい。本願では、白色系の壁紙や白い壁に貼付した場合であっても、三角マークの余白部分と全く同一の白色でなければ、三角マーク及びその先端の視認性は意外にも良好である。ほぼ同一の白色紙に貼付した場合であっても、近づいて確認するとき、三角マークの余白部分（白色）の縁が視認されるので、視認性は悪くなく、意外にも良好である。
【００３０】
本願では、前記三角マーク形成領域において、必要がない限り、余白部分（背景）には色をつけず（基材の色とする、例えば白色とする）、三角マークはできるだけ暗い色及び／又は濃い色を使うことが好ましい。もちろん、これとは逆にしてもよく、例えば、黒色系の背景に白色系の三角マークでもよい。
本願では、白色は、例えば、紙（普通紙、印刷用紙、コピー用紙、等）と同程度の白色とすることができる。
【００３１】
本願では、白色は、例えば、明度を抑えた白色、明度の高い白色、これらの中間の白色、等を使用できる。
【００３２】
本願では、前記三角マークを、見やすくするためには、三角マークを除く余白部分の色（背景色）と三角マークの色のコントラストが大きいことが重要である。すなわち、白い背景に淡い色の三角マークよりは、白い背景に黒い三角マークの方が圧倒的に見やすい。しかし、白い背景に真っ黒の三角マークではコントラストが強すぎる（あるいは黒い色が強すぎる）ために、見にくいと感じられることがある。個人差はあると思われるが、真っ黒はコントラストが強すぎて、目に優しくない。このような場合は、背景とのコントラストを下げ過ぎない程度の「グレー」の三角マークを使うことで、見やすさを高めることができ、近づいて見たときに目が疲れにくくできる。グレーの三角マークは、見やすさと同時に、すっきりした印象を与える効果も期待できる。例えば、数％だけ輝度を上げるとちょうどよく、明らかにグレーに見えるようでは彩度が高すぎる。
【００３３】
本願では、最小単位の基材２１における前記その他の領域８は、前記三角マークの色とは異なる色とされる。例えば、三角マークが黒色の場合、前記その他の領域８は、黒色とは異なる色（白色を含む）とされる。三角マークが白色の場合、前記その他の領域８は、白色とは異なる色（黒色を含む）とされる。
【００３４】
本願では、前記方形の基材における前記「その他の領域」は、前記三角マークの色及びその余白の色とは、異なる色とされることが好ましい。
【００３５】
本願では、「その他の領域」は、中・長距離からでも、ある程度目立つ色で着色することが好ましい。
【００３６】
本願では、あくまでも主役は三角マークであり、したがって、近づいて見たときに、「その他の領域」が目立ちすぎると、主役が目立ちにくくなり、主役である三角マークが把握しづらくなる。例えば、「その他の領域」が、ムダに濃い色である場合や、蛍光色である場合、原色に近く目立ちすぎてしまう場合は、近づいて見たときに、ちかちかした感じになりハレーションを起こしやすく、見づらくなる。
【００３７】
本願では、「その他の領域」は、近づいて見たときに、視認性がよく、見つけやすいが、目立ちすぎない色とすることが好ましい。
【００３８】
本願では、「その他の領域」は、彩度（濃さ）及び／又は明度を抑えた色を使用することが好ましい。
【００３９】
本願では、「その他の領域」は、例えば白色や極く薄い色だと、貼付する物体が例えば白色や極く薄い色の場合、あまり目立たない。この場合は、「その他の領域」は、例えば、薄すぎない色であって、有彩色を使用することが好ましい。
【００４０】
本願では、貼付する物体が暗い色及び／又は濃い色である場合は、「その他の領域」が白色や極く薄い色であっても視認性は悪くない。
【００４１】
本願では、「三角マーク」の色、「三角マークを除く余白部分」の色、「その他の領域」の色としては、それぞれ、色相（色合いの違い）、明度（明るさの違い）、彩度（鮮やかさの違い）の３つを任意に組み合わせて得られる色を使用できる。
【００４２】
本願では、有彩色（彩りのある色）、無彩色（彩りのない色）を使用できる。
【００４３】
無彩色は、白、黒、グレーであり、色相、彩度はなく、あるのは明るさの段階だけである。
【００４４】
有彩色には、例えば、赤、黄、緑、青、紫や、これらの中間色相（黄赤、黄緑、青緑、青紫、赤紫）、さらには、ピンク、ベージュなど様々な色がある。
【００４５】
色調（カラートーン）とは、色の明度と彩度によって分けられる色の系統をいう。  無彩色の色調（カラートーン）としては、ホワイト（白）、ライトグレイ（あかるい灰色）、ミディアムグレイ（灰色）、ダークグレイ（くらい灰色）、ブラック（黒）等が挙げられる。
【００４６】
有彩色の色調は、低彩度、中彩度、高彩度、純色に分けられる。
【００４７】
低彩度の色調としては、ペールトーン（うすい色）、ライトグレイッシュトーン（あかるい灰みの色）、グレイッシュトーン（灰みの色）、ダークグレイッシュトーン（くらい灰みの色）等が挙げられる。
【００４８】
中彩度の色調としては、ライトトーン（あさい色）、ソフトトーン（やわらかい色）、ダルトーン（にぶい色）、ダークトーン（くらい色）等が挙げられる。
【００４９】
高彩度の色調としては、ブライトトーン（あかるい色）、ストロングトーン（つよい色）、ディープトーン（こい色）等が挙げられる。
【００５０】
純色としては、ビビッドトーン（さえた色、原色）等が挙げられる。
【００５１】
本願では、「その他の領域」の色としては、例えば、ピンク、グリーン、パープル、ブルー、イエローなどが使用できる。このとき、彩度（濃さ）及び／又は明度を抑えた色を使用することが好ましい。
【００５２】
本願では、「その他の領域」の色としては、パルテル調の色（白色が混ざったような淡い色彩）、ライトトーン（あさい色）、ソフトトーン（やわらかい色）、等を使用できる。  本願では、「その他の領域」の色としては、例えば、パステル調の、ピンク、緑、紫、青、水色、黄色などや、パステル調の、うす緑、淡いピンク、淡い青、うす紫、淡い水色、淡い黄色などが使用できる。
【００５３】
本願では、「三角マーク」の色、「三角マークを除く余白部分」の色、「その他の領域」の色としては、ブラック（黒）、ダークグレイ（くらい灰色）からブラック（黒）までの間の中間色（特にこのうちの色であって明らかにグレーに見えないもの）、ダークグレイ（くらい灰色）、ダークトーン（くらい色）、ダークトーン（くらい色）からブラック（黒）までの間の中間色、等を使用できる。
【００５４】
本願では、「三角マーク」の色、「三角マークを除く余白部分」の色、「その他の領域」の色としては、ホワイト（白）、ホワイト（白）からライトグレイ（あかるい灰色）までの間の中間色（特にこのうちの色であって明らかにグレーに見えないもの）、ペールトーン（うすい色）、ペールトーン（うすい色）からホワイト（白）までの中間色、等を使用できる。
【００５５】
本願では、例えば、前記三角マークと前記三角マークを除く余白部分は、一方が黒色又は黒色に近い色であり、他方が白色又は白色に近い色であり、前記その他の領域は、有彩色である態様が好ましい（構成６）。
【００５６】
なお、本願では、「その他の領域」は、縁取り線がないので、三角マークに集中する際に、じゃまにならない。これに対し、例えば、極細い線であっても「その他の領域」に縁取り線がある場合は、視覚的に余分なものとなり、三角マークに集中する際に、じゃまになることがある。
【００５７】
本願では、前記三角マークは、３つの頂点４４、４５、４６が、方形の基材の辺に接していることが好ましい（構成２）。最大限の大きさとすることで、相対的により認識しやすく、見やすくなる。また、前記三角マークの３つの頂点が、方形の基材の辺に接していない態様に比べ、すっきりしていてシンプルなレイアウトとなる。本態様では、余計な箇所に目がいかず、三角マークの先端に集中できる。
【００５８】
本願では、特に、前記三角マークの頂点４４が、前記方形の基材２１の前記一端側の短辺２１１と接することにより、マーキングした詳細（正確）な位置を目で追う作業が容易となる。前記三角マークの頂点が、前記方形の基材の短辺に接していない態様では、不一致により生ずる余白（退避部分）で目線が切れてしまい、目で追う作業の妨げとなる。
本願では、前記三角マーク４は、前記方形の基材２１に対して最大限、大きく、太く、濃くすることで、相対的に、よく目立ち、見やすくなる。
【００５９】
本願では、前記三角マークは、二等辺三角形、特に正方形に内接する二等辺三角形（底辺の長さと高さが同じとなる）や、正三角形などが好ましい（構成３）。これにより、相対的に、シンプルで見やすくなる。これに対し、三角形の高さが変に長くなったり短くなったりすると、間延びした感じになったり寸詰まりの感じになったりし、かえって、見づらくなる。これと同様に、前記三角マークにおける各辺を、曲線にしたり、前記三角マークの一部に凹凸を設けるなどして、変形した場合、かえって、見づらくなる。
【００６０】
図３では、前記三角マーク４は、正方形である三角マーク形成領域７に内接する二等辺三角形（底辺４１の長さと高さが同じ）である。
【００６１】
本願では、前記三角マーク４は、正方形に内接する二等辺三角形を正三角形まで変化させる間に得られる三角形とすることが好ましい。
【００６２】
本願では、前記方形の基材２１は、短辺２１１の長さと長辺５の長さの比は、短辺：長辺＝１：２〜４であることが好ましく（構成４）、略１：３（例えば略１：２．７〜３．３）であることがより好ましい。
【００６３】
長辺の長さが変に長くなったり短くなったりすると、間延びした感じになったり寸詰まりの感じになったりする。特に、長辺の長さが長い場合、前記方形の基材の他端側の短辺等の余計な箇所に目がいきがちで、目線の移動が大きく、作業に集中しづらくなる。
【００６４】
本願では、三角マーク形成領域７とその他の領域８の長辺方向の長さ（前記方形の基材２１の長辺５に沿った長さ）の比は、１：１〜３であることが好ましく（構成５）、略１：２（例えば略１：１．７〜２．３）であることがより好ましい。
【００６５】
上記比率であると、例えば、すっきりしていてシンプルなレイアウトである。
【００６６】
上記比率を超えると、例えば、統一感がなくなる。
【００６７】
本願では、ムダに大きな三角マーク及び／又はムダに大きな「その他の領域」や、ムダに装飾のある三角マーク及び／又はムダに装飾のある「その他の領域」できるだけ避け、シンプルな三角マーク及び／又は「その他の領域」を使うようにするとよい。
【００６８】
本願では、三角マーク及び「その他の領域」の種類やサイズを工夫することで、マーキングテープは格段に「使いやすく」なる。また、三角マーク及び「その他の領域」の配置や配色、全体のレイアウトを考えることで、マーキングテープは、「使いやすく」、「見やすく」、理解しやすいものになる。
【００６９】
マーキングテープにおいても「見栄えの良さ」、「美しさ」、「アイキャッチ」ということは非常に重要である。すなわち「使いやすさ」「見やすさ」「見栄えの良さ」が三位一体となったとき、機能性に優れ、多くの人を惹きつける魅力あるマーキングテープとなる。
【００７０】
＜２．効果＞
上記構成の実施形態に係るマーキングテープ１によれば、以下のような効果を得ることができる。上述のように、マーキングテープ１は、巻芯３と、巻芯３に巻回され、幅方向と長手方向とを有する帯状の基材２とを備える。基材２には幅方向に略平行な複数のミシン目が前記長手方向に所定間隔をもって形成されている（図２）。基材２は、粘着面を有する第１面とミシン目の間に指示マークとしての三角マークがそれぞれ形成されている第２面とを有する。図３に示すように、三角マーク４は、ミシン目２１１に略平行な一辺４１と、その一辺４１に対向し、ミシン目２１１に向けられ指示先端部を構成する頂点４４とを有する。ミシン目２１１からミシン目２１２までの領域は、ミシン目２１１から三角マーク４の一辺４１までの三角マーク形成領域７と、三角マーク４の一辺４１からミシン目２１２までのその他の領域８とを有する。三角マーク形成領域７において、三角マーク４と三角マーク４を除く余白部分とは、互いに異なる色によって形成される。また、その他の領域８は、三角マーク４とは異なる色によって形成される。
【００７１】
上記構成により、基材２がロール型に形成されるので、作業者側で使用する長さを決定でき、且つ、かさばりにくい。また、基材２にはマイクロミシン目が施されているため、誰でも容易にきれいに切ることができる。さらに、ミシン目と矢印の先を構成する三角マーク４の頂点４４の印刷部分とを正確に一致させているので、ロール型であっても正確性を備え、断続的な使用が可能である。
【００７２】
また、三角マーク４については従来と同様の効果が得られる。具体的には、三角マークは、検収や検品時の不良箇所等の詳細（正確）な位置を的確かつ詳細（正確）に知らせる機能を有する。三角マークは、中・近距離（特に近距離）において、目線が自然と三角マークに行くこと、及び、マーキングテープ全体に占める面積の相対的に小さな三角マークのみを集中して見ることにより、相対的により見やすく、相対的によりわかりやすく、しかも不良箇所等を相対的により見つけやすく、さらに、機能分離されていない場合に比べて、疲れにくい。特に、長時間作業や大量処理を行っても疲れにくい。
【００７３】
また、その他の領域は、マーキングのある箇所やマーキングした大まかな場所を知らせる機能を有する。この機能は、中・長距離機能で発揮されるが、中・近距離（特に近距離）においても、例えば、衣服などの場合、マーキングのある箇所や、マーキングした大まかな場所、を確実に知らせる機能が発揮され、次の動作として、三角マークに目を移すことによって、マーキングした詳細（正確）な位置を確認する作業が実施される。
【００７４】
また、上記実施形態では、三角マーク４の一辺４１は、幅方向の一端４５から他端４６にかけて形成され、三角マーク４の頂点４４はミシン目２１１上に形成されている。換言すれば、三角マーク４は、３つの頂点４４、４５、４６が、方形の基材２１の辺に接している。
【００７５】
上記構成により、相対的により認識しやすく、見やすくなる。また、前記三角マークの３つの頂点が、方形の基材の辺に接していない態様に比べ、すっきりしていてシンプルなレイアウトとなる。本態様では、余計な箇所に目がいかず、三角マークの先端に集中できる。
【００７６】
また、上記実施形態では、三角マーク４は黒色であり、三角マーク４を除く余白部分白色であり、その他の領域８は有彩色である。
【００７７】
上記構成により、近づいて見たときに、「その他の領域」が目立ちすぎず、主役である三角マークが目立たせることが可能である。例えば、「その他の領域」が、ムダに濃い色である場合や、蛍光色である場合、原色に近く目立ちすぎてしまう場合は、近づいて見たときに、ちかちかした感じになりハレーションを起こしやすく、見づらくなる。
【００７８】
また、上記実施形態では、複数のミシン目２１１，２１２，２１３はマイクロミシン目によって構成されている。
【００７９】
上記構成により、誰でも容易にきれいに切ることができる。また、ミシン目と矢印の先の印刷部分とを正確に一致させているので、ロール型であっても正確性を備え、断続的な使用が可能である。
【００８０】
また、マーキングテープを所望の長さで切り取ることができるようになっている。したがって、例えば、中・近距離（文房具として又は中小型工業製品等に対して）で使用する場合、最小単位の基材を１単位分で切り取って使用することができる。また、中・長距離（土木・建築現場や警察の現場検証等）で使用する場合には、最小単位の基材を複数単位分で長く切り取って使用することもできる。
【００８１】
＜３．変形例＞
本考案は、上述した実施形態に限定されることはなく、実用新案登録請求の範囲に記載された技術的範囲において変形が可能である。
【００８２】
例えば、上記実施形態では、図４に示すようにその他の領域８に水平線が存在しない場合を例示したが、これに限定されず、図５に示すように細い水平線（中心線）を設けるようにしてもよい。この場合、水平線（中心線）の太さは０．３ｍｍで三角マークと同色にすればよい。なお、水平線（中心線）は極細いので、近づいて、不良箇所の確認作業をする際に、水平線（中心線）をじゃまに感じすることはない。
【００８３】
このように、上記変形例では、その他の領域８には、長手方向と略平行な平行線が形成されている。そして、三角マーク形成領域７における平行線の延長線は、三角マーク４の頂点４４を通る。
【００８４】
また、上記実施形態では、指示マークは三角マーク４により構成され、指示先端部は頂点４４により構成されたが、この構成に限定されない。
【符号の説明】
【００８５】
１  マーキングテープ
２  基材
３  巻芯
５  最小単位の基材の長辺
７  三角マーク形成領域
４  三角マーク
８  その他の領域
２１１，２１２  最小単位の基材の短辺（マイクロミシン目）
４１  三角マークの一辺
４４，４５，４６  三角マークの頂点
【図１】
0003197072.tif 000003
【図２】
0003197072.tif 000004
【図３】
0003197072.tif 000005
【図４】
0003197072.tif 000006
【図５】
0003197072.tif 000007